(57)【要約】      （修正有）【課題】手の届かない自分の体の背面の肩こりや腰痛解消に好適な、電動マッサージと湿布薬の塗布を一連の作業として実施できる携帯式治療具を提供する。【解決手段】携帯式治療具は第１取手１１と第２取手１２が接続部１４で接続されて組立てられる。第１取手には第１ホルダー２１が脱着自在にボルト止めされ、第２取手にも第２ホルダー２２が脱着自在にボルト止めされる。また、第１ホルダーまたは第２ホルダーの何れか一方に電動式マッサージ器３０が脱着自在に装着され、他方に湿布薬４０が脱着自在装着される。使用者は、直接手の届かない背面であっても本携帯式治療具を片手或いは両手に把持し、患部に電動マッサージ器でマッサージを施した後、湿布薬を塗布することができる。【選択図】図１
0003194093.tif 000002
【実用新案登録請求の範囲】
【請求項１】
手の届かない背面に使用者自身が治療を施すことのできる携帯式治療具ホルダーであって、
メス形接続部と、第１角穴と、孫の手部とを有する第１取手の前記第１角穴に第１ホルダーが脱着自在にボルト止めされ、
オス形接続部と、第２角穴とを有する第２取手の前記第２角穴に第２ホルダーが脱着自在にボルト止めされ、
前記第１取手の前記メス形接続部に、前記第２取手の前記第２オス形接続部が挿入されて組立てられ、
前記第１ホルダーまたは前記第２ホルダーの何れか一方に電動式マッサージ器が、他方に湿布薬がそれぞれ脱着自在に固定できることを特徴とする電動マサージ器と湿布薬を装着できる携帯式治療具ホルダー。
【請求項２】
前記メス形接続部に第３角穴が設けられ、前記オス形接続部に貫通穴が設けられ、
第３ホルダーが脱着自在にボルト止めされ、
前記第３ホルダーに電動マサージ器が脱着自在に固定できることを特徴とする請求項１に記載の電動マサージ器と湿布薬を装着できる携帯式治療具ホルダー。
【請求項３】
前記第１ホルダー、前記第２ホルダー、前記第３ホルダーが何れも、角形ボルトと一体化されたバンドリングと、ナットと、バインドプレートで構成されることを特徴とする請求項１または２の何れか１項に記載の電動マサージ器と湿布薬を装着できる携帯式治療具ホルダー。
【請求項４】
手の届かない背面に使用者自身が治療を施すことのできる携帯式治療器であって、
メス形接続部と、第１角穴と、孫の手部とを有する第１取手の前記第１角穴に第１ホルダーが脱着自在にボルト止めされ、
オス形接続部と、第２角穴とを有する第２取手の前記第２角穴に第２ホルダーが脱着自在にボルト止めされ、
前記第１取手の前記メス形接続部に、前記第２取手の前記第２オス形接続部が挿入されて組立てられ、
前記メス形接続部に第３角穴が設けられ、前記オス形接続部に貫通穴が設けられ、
第３ホルダーが前記３角穴に脱着自在にボルト止めされ、
前記第１ホルダー、前記第２ホルダー、前記第３ホルダーの３つのホルダーの何れかに１つに電動式マッサージ器が、また、残る２つのホルダーの何れか１つに湿布薬がそれぞれ脱着自在に固定されることを特徴とする電動マサージ器と湿布薬を装着する携帯式治療具。
【考案の詳細な説明】
【技術分野】
【０００１】
本発明は、自分の手が届かない背面の肩や腰に使用者自身が電動式マッサージ器や、湿布薬を塗布することで、肩こりや腰痛を治療することのできる携帯式治療具ホルダーおよび、携帯式治療具に関する。
【背景技術】
【０００２】
直接自分の手の届かない背面の肩こり、筋肉痛、腰痛等を緩和する方法として、孫の手を活用したマッサージ器や湿布薬塗布道具の発明・考案が開示されている。
実用新案文献１には、支持杆の一方端に湿布薬などの薬剤ケースを簡易に着脱でき、かつ的確な取付状態を維持できる変形可能な湾曲部を設け、他端部にブラシ部が設けられた薬剤塗布用具の発明が開示されている。
【０００３】
また、特許文献１には、所要長さの棒状体の一端に、多数の突起を形成した掻痒部を設け、棒状体の他端部に球面部と平面部を有する略半球状体を設け、半球面体の球面部を肩叩き用とし、平面部を薬剤塗布部とする多機能掻痒解消具が開示されている。
また、実用新案文献２には、マッサージ機能を有する携帯保管可能な二つ折り式の電動式孫の手が開示されている。この発明では二つ折りされる一方の柄部に電池と、モータと、スイッチ釦と、モータの駆動力を伝えるギヤ、駆動軸などが収納され、他方の柄部にはマッサージ摩擦輪が設置される。折曲げ部にはカップリングが配置され、モータの駆動力はカップリングで連結されてマッサージ摩擦輪に伝えられる。
【先行技術文献】
【特許文献】
【０００４】
【特許文献１】特開２００６−１０１９８９  「多機能掻痒解消具」
【特許文献２】実用新案登録第３１２９２１０号「薬剤塗布用具」
【特許文献３】実公平７−５６０１０「電動孫の手」
【考案の概要】
【考案が解決しようとする課題】
【０００５】
肩こり、筋肉痛、腰痛はマッサージや湿布薬の塗布を夫々単独に施すよりも、マサージに湿布薬の塗布を重畳させることで、一層の相乗効果が期待できる。これらの効果は患部が体の前面にある場合、手に市販の電動マッサージ器を持ち電動マッサージ器を患部に当てマッサージを施した後、電動マッサージ器を湿布薬に持ち替えて幹部に湿布薬を塗布することは容易である。しかし、同様の治療を直接手の届かない体の背面の患部に施すことは容易でない。
【０００６】
湿布薬を体の背面に塗布する作業のみであれば、特許文献１の発明により容易に実施できる。また、電動マッサージのみを体の背面に施すことは、実用新案文献２の発明により容易である。しかし、電動マッサージと湿布薬の塗布を一連の作業として体の背面に施すことを可能とする考案の開示は未だない。本考案は、体の背面に位置する患部に湿布薬を塗布した後、連続して電動マッサージを施すと伴に、体の前面に位置する患部についても背面患部と同一治療を容易に実施できる携帯式治療具を提供することを目的とする。
【課題を解決するための手段】
【０００７】
請求項１に記載の発明は、手の届かない背面に使用者自身が治療を施すことのできる携帯式治療具ホルダーであって、電動マサージ器と湿布薬を装着できる。本携帯式治療具ホルダーは第１取手と第２取手が接続部で接続されて組立てられる。
第１取手には、メス形接続部と、第１角穴と、孫の手部が設けられ、第１角穴には第１ホルダーが脱着自在にボルト止めされる。第２取手には、オス形接続部と、第２角穴とが設けられ、第２角穴には第２ホルダーが脱着自在にボルト止めされる。
第１取手と第２取手の接続は第１取手のメス形接続部に、第２取手のオス形接続部が挿入されて組立てられる。
【０００８】
また、第１ホルダーまたは第２ホルダーの何れか一方に電動式マッサージ器が脱着自在に装着され、他方に湿布薬が脱着自在装着できる。
これにより、本携帯式治療具ホルダーには電動マサージ器と湿布薬を装着できるので、使用者が直接手の届かない背面であっても、本携帯式治療具ホルダーを片手または両手に把持し、必要な患部に電動マッサージ器でマッサージを施し、次いで、必要に応じて湿布薬を塗布することができる。
【０００９】
請求項２に記載の発明は携帯式治療具ホルダーであって、携帯式治療具ホルダーの第１取手のメス形接続部に第３角穴が設けられ、第２取手のオス形接続部に貫通穴が設けられる。第１取手と第２取手は、第１取手のメス形接続部に、第２取手のオス形接続部が挿入されて組立てられ、次いで第３角穴に第３ホルダーのボルトが挿入されて、ボルトが脱着自在にナット止めされる。また、３ホルダーには電動マサージ器を脱着自在に装着できる。
【００１０】
これにより、第１取手と第２取手が接続部の接続が確実になり、第１取手と第２取手に引張方向の力が作用しても接続部が外れることなく、携帯式治療具ホルダーの取り扱いの自由度が向上する。また、第３ホルダーに電動マサージ器の装着された携帯式治療具ホルダーの第１取手と、第２取手をそれぞれ左右両手に把持することで、背面の首筋などに電動マサージ器を強く押し当て、効果的にマッサージを施すことができる。
【００１１】
請求項３に記載の発明は、第１ホルダー、第２ホルダー、第３ホルダーが何れも、角形ボルトと一体化されたバンドリングと、ナットと、バインドプレートで構成される。
バインドプレートは装着する電動マサージ器や湿布薬の装着部外径に適合させて作成されるので、外径サイズの異なる様々な電動マサージ器や湿布薬を確実に装着することができる。
【００１２】
請求項４に記載の発明は、手の届かない背面に使用者自身が治療を施すことのできる携帯式治療具である。本治療具は第１取手と第２取手が接続されて組立てられる。
第１取手にはメス形接続部と、第１角穴と、第３角穴と、孫の手部があり、第１角穴には第１ホルダーが脱着自在にボルト止めされる。第２取手にはオス形接続部と、第２角穴と、メス形接続部に貫通穴があり、第２角穴に第２ホルダーが脱着自在にボルト止めされる。
【００１３】
第１取手と第２取手の接続は、第１取手のメス形接続部に第２取手のオス形接続部が挿入されて組立てられ、第３角穴と貫通穴を貫通させて第３ホルダーが脱着自在にボルト止めされる。また、本発明の本治療具は、第１ホルダー、第２ホルダー、第３ホルダーの３つのホルダーの何れかに１つに電動式マッサージ器が、また、残る２つのホルダーの何れか１つに湿布薬がそれぞれ脱着自在に固定される。
本治療具により、直接手の届かない背面であっても、使用者は必要な患部を電動マッサージ器でマッサージし、湿布薬を塗布することができる。
【考案の効果】
【００１４】
開示された従来技術による電動式マッサージ器は、体の背面専用のマッサージ器であるため、体の前面のマッサージには使い勝手が悪く、体の前面用に別途市販の電動マッサージ器を準備する必要があった。しかし、本発明の携帯式治療具ホルダーでは、電動マッサージ器と湿布薬を容易に取り外すことができ、体の前面の治療には、取り外した電動マッサージ器と湿布薬を直接手で把持し、患部に治療を施すことができる。即ち、本発明の携帯式治療具ホルダーおよび携帯式治療具は、体の背面のみでなく、体の前面での治療にも適用できる。
【図面の簡単な説明】
【００１５】
【図１】本発明の携帯式治療具ホルダーに電動マサージ器と湿布薬を装着した携帯式治療具の概観図。
【図２】携帯式治療具ホルダーの概観図。
【図３】携帯式治療具ホルダーの構成要素となる第１取手と第１取手の概観図。
【図４】取手にボルトナット止めされたホルダー。
【図５】ホルダーの構成要素および、組立説明図。
【図６】バンドリングと角形ボルトの一体化方法例。
【図７】バンドプレートの説明図。
【図８】第３角穴に第３ホルダーを装着した携帯式治療具の概観図。
【図９】コンパクト化した状態の概観図。
【考案を実施するための形態】
【００１６】
本考案による電動マサージ器と湿布薬を装着する携帯式治療具を図１〜図７を用いて説明する。図１は本発明による携帯式治療具１０の実施例であり、図２は本考案による携帯式治療具ホルダー２０の実施例である。  携帯式治療具１０は、携帯式治療具ホルダー２０の第２ホルダー２２の第２取手１２への取付け方向を上下逆向きにして電動式マッサージ器３０を装着し、第１ホルダー２１に湿布薬４０を装着したものである。
まず、携帯式治療具ホルダー２０について説明を行う。
【００１７】
図２において、携帯式治療具ホルダー２０は、図３に示す第１取手１１と、第２取手１２が接続されて組立てられる。具体的には、第１取手１１のメス形接続部１４に第２取手１２のオス形接続部１５が挿入されて接続される。次いで、第１角穴１６には図４に示す第１ホルダー２１がボルト止めされ、第２角穴１７には第２ホルダー２２がボルト止めされ、第３角穴１８には第３ホルダー２３がボルト止めされる。ここに、第１ホルダー２１と、第２ホルダー２２と、第３ホルダー２３のボルト止め方法は何れも同一ある。
【００１８】
組立方法を図５に示す。角形ボルト２４とバンドリング２５は一体化されており、角形ボルト２４は例えば第１角穴１６に沿わせて挿入する。ボルトも穴も４角形であるので、角形ボルト２４の挿入方向を９０度回転させてもバンドリング２５は第１角穴１６に挿入されるが、取付方向は９０度回転する。即ち、バンドリング２５の内径軸線の方向は取付け方向により、第１取手１１の長さ方向と同一となるか、または第１取手１１の長さ方向と直角方向になるかの何れかになる。次いで、ナット２６でボルト止めを行う。
【００１９】
なお、第１ホルダー２１、第２ホルダー２２、第３ホルダー２３のボルトの断面形状を角形とし、これらが挿入される穴である第１角穴１６、第２角穴１７、第３角穴１８の穴形状を角穴としているが、実用上はボルト断面形状を円形とし、これらが挿入される穴形状も円形としてもよい。
【００２０】
第３ホルダー２３の取付け方法には２種類あり、図２では第２取手１２の上面側に取付けているが、図１では下面から取付けている。上面、下面の取付け作業に差異はなく、何れも容易であり使い勝手に応じて適宜選択される。第１ホルダー２１と第２ホルダー２２についても、上下何れの面に取付けるかは使い勝手により適宜判断される。
バンドプレート２７は、バンドリング２５に電動式マッサージ器３０または、湿布薬４０を装着した後に、弾性体からなるバンドリング２５の弾性を利用して強固に固定される。バンドリング２５の素材は、例えば硬質プラスチックを芯材とし、軟質プラスチックを外装させた成型材料や、ゴム材料、金属材料などが好適である。
【００２１】
バンドプレート２７は硬質樹脂または金属板で、被装着物の外径形に合わせて図６に示すように様々なサイズのものが準備される。バンドプレート２９は大サイズ、バンドプレート２７は中サイズ、バンドプレート２８は小サイズである。なお、ここに言う大、中、小は便宜的な表現であり、被装着対象の外径に合わせて専用サイズのバンドプレートが作成される。
【００２２】
図１には図示されていないが、電動式マッサージ器３０や湿布薬４０をバンドリング２５に装着する際、電動式マッサージ器３０や湿布薬４０とバンドリング２５の間にゴムシートなど、ゴム弾性を有する滑り止め材料を挿入させることにより、より確実な装着固定効果が期待できる。
【００２３】
また、角形ボルト２４とバンドリング２５は一体化されて作成される。例えば図７に示すように、固定ビス３１で角形ボルト２４とバンドリング２５の一体化してもよい。
またバンドリングを成型樹脂や射出成型樹脂で作成する場合であれば、角形ボルト２４とバンドリングを一体成型してもよい。
【００２４】
次に電動式マッサージ器３０を第３ホルダー２３に装着した図８に示す携帯式治療具１０について説明する。背中の首の付け根は特に肩こりを生じ易い箇所である。この場合電動式マッサージ器３０を片手に把持しマッサージすることもできるが、体の硬い高齢者では、図８の携帯式治療具１０の両端を両で把持し、電動式マッサージ器３０を首筋背面に押し付けマッサージする方が、より楽な姿勢でマッサージ効果的を高めることができる。またマッサージ後は片手に把持し、湿布薬４０を塗布することで、マッサージ効果を一層高めることができる。
【００２５】
なお、電動式マッサージ器３０によるマサージ効果と、湿布薬４０の塗布による治療効果は、必ずしも電動式マッサージ器３０によるマッサージが先で、湿布薬４０の塗布が後と決める必要はなく、何れを先に実施してもよく、また、これらを交互に実施してもよい。要は、使用者が実感できる治療効果に基づいて、使用者が自分の好みで実施順序と組合せを決めればよい。
【００２６】
本発明の携帯式治療具ホルダー２０を２分割の組立方式とした理由は、携帯性を考慮したためである。図９は電動式マッサージ器３０と、第１取手１１と、第２取手１２と、第１ホルダー２１と、第２ホルダー２２をコンパクト化させて収納させた状況を示す。図２では湿布薬の一体化はできないが、コンパクトな電動式マッサージ器や湿布薬を選定すれば、これら全てを一体に収納することも十分可能である。
【産業上の利用可能性】
【００２７】
本携帯式治療具ホルダーは、射出成型など製造可能であり、低コストで供給できれば、特に一人暮らしの高齢者には、福音になるものと思われる。
【符号の説明】
【００２８】
１０  携帯式治療具
１１  第１取手
１２  第２取手
１３  孫の手
１４  メス形接続部
１５  オス形接続部
２０  携帯式治療具ホルダー
２１  第１ホルダー
２２  第２ホルダー
２５  バンドリング
２７  バンドプレート
３０  電動式マッサージ器
【図１】
0003194093.tif 000003
【図２】
0003194093.tif 000004
【図３】
0003194093.tif 000005
【図４】
0003194093.tif 000006
【図５】
0003194093.tif 000007
【図６】
0003194093.tif 000008
【図７】
0003194093.tif 000009
【図８】
0003194093.tif 000010
【図９】
0003194093.tif 000011